(57)【要約】【課題】  表示画面における演出効果を増大して遊技の興趣を大きく盛り上げることのできる遊技装置を提供する。【解決手段】  透明な盤面６を有する中空の回転円盤２の内部に透明液体Ｌと空気Ａとを封じ込むとともに、回転円盤２の外周側壁２１の内側には回転円盤２の回転方向に向けて開口する複数の凹部９を設けて、この回転円盤２を、表示画面１の前方に表示画面１を視認可能にして配置する。以上のように構成したものは、回転円盤２が回転して凹部９が液面に対して下向きに突入した時に空気Ａを取り込むことができ、凹部９開口が横向き乃至やや上向きとなった時にはこの取り込んだ空気Ａを泡Ｂとして放出することができる。【選択図】    図１
2006034610.tif 000002
【特許請求の範囲】
【請求項１】
透明な盤面を有する中空の回転円盤の内部に透明液体と空気とを封じ込むとともに、回転円盤の外周側壁の内側には回転円盤の回転方向に向けて開口する複数の凹部を設けて、この回転円盤を、表示画面の前方に表示画面を視認可能にして配置したことを特徴とする遊技装置。
【請求項２】
透明な盤面を有する中空の回転円盤の内部に比重の異なる２種類の透明液体を封じ込むとともに、回転円盤の外周側壁の内側には回転円盤の回転方向に向けて開口する複数の凹部を複数設けて、この回転円盤を、表示画面の前方に表示画面を視認可能にして配置したことを特徴とする遊技装置。
【請求項３】
透明な盤面を有する中空の回転円盤の内部に比重の異なる２種類の透明液体と空気とを封じ込むとともに、回転円盤の外周側壁の内側には回転円盤の回転方向に向けて開口する複数の凹部を設けて、この回転円盤を、表示画面の前方に表示画面を視認可能にして配置したことを特徴とする遊技装置。
【請求項４】
凹部の開口方向を、回転円盤の正転方向及び逆転方向の双方とした請求項１〜３の何れかに記載の遊技装置。
【請求項５】
凹部を、回転円盤の外周側壁の内側から突片を突出させて形成した請求項１〜４の何れかに記載の遊技装置。
【請求項６】
凹部を、回転円盤の外周側壁の内側にバケットを設けて形成した請求項１〜４の何れかに記載の遊技装置。
【請求項７】
突片の長さを適宜異なるものとした請求項５に記載の遊技装置。
【請求項８】
突片が、回転円盤の外周側壁の内側から突出する角度を適宜異なるものとした請求項５又は７に記載の遊技装置。
【請求項９】
透明液体を、不燃性又は難燃性の透明液体とした請求項１〜８の何れかに記載の遊技装置。
【請求項１０】
透明液体を、有色の透明液体とした請求項１〜９の何れかに記載の遊技装置。
【発明の詳細な説明】
【技術分野】
【０００１】
本発明は、遊技機に用いられる役物などの表示画面を有する遊技装置に関する。
【背景技術】
【０００２】
遊技機であるパチンコ機においては、図８に示すように外周をレール５６や段差によって囲まれた遊技盤５１が装着されており、この遊技盤５１には特定入賞口５２、一般入賞口５３とともに、遊技の主要な部分を司るセンター役物５４が配設されている。センター役物５４は通常表示画面５５を備えていて３列の図柄がスクロール表示あるいは液晶表示されて、図柄がそろった時にいわゆる大当たりを発生させる。しかしながら、表示画面５５には図柄が平面的にしか表示されないので、遊技の演出効果に限界があって遊技中に遊技者に与える興趣を低下させてしまう。
【０００３】
このような興趣の低下を防止するものとして、特許文献１には、表示装置の前面に、識別情報を透視可能な液体を注入した液体注入容器を配置するとともに、前記液体注入容器の内部に接続された泡発生装置により、液体注入容器内の液体に泡を発生させるようにした遊技機が開示されている。しかしながら、この遊技機においては、泡の発生位置が固定されていて泡の大きさ、個数も変化することがない静的なものである。また、泡を発生させるための装置を必要としコストアップを招くという問題がある。
【特許文献１】特開２００４−８６６０号公報  (図２)
【発明の開示】
【発明が解決しようとする課題】
【０００４】
本発明は上記した従来の問題点を解決して、遊技の興趣を大きく盛り上げることのできる遊技装置を提供するためになされたものである。
【課題を解決するための手段】
【０００５】
上記の課題を解決するためになされた本発明の遊技装置は、透明な盤面を有する中空の回転円盤の内部に透明液体と空気とを封じ込むとともに、回転円盤の外周側壁の内側には回転円盤の回転方向に向けて開口する複数の凹部を設けて、この回転円盤を、表示画面の前方に表示画面を視認可能にして配置したことを特徴とするものである。また、本発明の遊技装置は、透明な盤面を有する中空の回転円盤の内部に比重の異なる２種類の透明液体を封じ込むとともに、回転円盤の外周側壁の内側には回転円盤の回転方向に向けて開口する複数の凹部を複数設けて、この回転円盤を、表示画面の前方に表示画面を視認可能にして配置したことを特徴とするものであり、また、透明な盤面を有する中空の回転円盤の内部に比重の異なる２種類の透明液体と空気とを封じ込むとともに、回転円盤の外周側壁の内側には回転円盤の回転方向に向けて開口する複数の凹部を設けて、この回転円盤を、表示画面の前方に表示画面を視認可能にして配置したことを特徴とするものである。
【０００６】
上記した発明において、凹部の開口方向を、回転円盤の正転方向及び逆転方向の双方とすることができる。そして、凹部を、回転円盤の外周側壁の内側から突片を突出させて形成することができ、凹部を、回転円盤の外周側壁の内側にバケットを設けて形成することができる。前記突片は、その長さを適宜異なるものとすることができ、突片が、回転円盤の外周側壁の内側から突出する角度を適宜異なるものとすることもできる。さらに、透明液体として不燃性又は難燃性のものを用いることができるし、透明液体として有色の透明液体を用いることもできる。
【発明の効果】
【０００７】
本発明の遊技装置は、透明で中空の回転円盤の内部に透明液体と空気とを封じ込むとともに、回転円盤の外周側壁の内側には回転円盤の回転方向に向けて開口する複数の凹部を設けたので、回転円盤の回転によって凹部が透明液体の液面に突入した時にこの凹部に空気を取り込むことができ、一方、凹部開口が横向き乃至やや上向きとなった時には取り込んだ空気を泡として放出することができる。また、本発明の遊技装置は、回転円盤内に比重の異なる２種類の透明液体を封じ込むことによって、比重の小さい透明液体の粒子を浮揚させて液体界面に波を発生させることができ、回転円盤内に比重の異なる２種類の透明液体と空気とを封じ込むことによって、比重の小さい透明液体の粒子と泡とを浮揚させることができる。
【発明を実施するための最良の形態】
【０００８】
以下に図面を参照しつつ本発明の好ましい実施形態を説明する。
図１は本発明の第1の実施形態である遊技装置の分解斜視図、図２はその要部の正面図であって、図中の１は表示画面、２は回転円盤、３は回転円盤２を駆動させるモータ、４は前側カバーである。回転円盤２は、透明な盤面６と短管状の外周側壁２１とを有する中空円盤がリング状ギア５の内側に嵌め込まれたものであって、回転円盤２の内部には透明液体Ｌと少量の空気Ａとが封じ込められている。リング状ギア５は、モータ３の軸に装着された小ギア７と接続されていてモータ３の駆動により回転する。外周側壁２１の内側には回転円盤２の回転方向に向けて開口する凹部９が、前記外周側壁に突設された突片８によって多数形成されている。
【０００９】
そして、表示画面１の前に回転円盤２が垂直方向に立てられ表示画面１を視認可能にして配置され、さらに、回転円盤２の前には前側カバー４が見栄えを良好にして配置されて、図３に示すような遊技装置を構成している。以上のように構成されたものは、例えば大当たり発生時などにモータ３を駆動させて回転円盤２を回転させることによって、凹部９が下向きとなって透明液体Ｌの液面に突入するので、この凹部９に空気Ａを取り込むことができる。さらに回転が進んで凹部９開口が横向き乃至やや上向きとなった時には、取り込んでいた空気Ａを浮力により回転円盤２下部から上方に泡Ｂとして放出することができる。凹部９は回転のたびごとに空気Ａの取込みと泡Ｂの放出とを行うので、回転円盤２を回転している間中泡Ｂを発生させることができる。
【００１０】
上記した遊技装置において、突片８は長いものと短いものの２種類としてあって、溜め込む空気Ａの量が変化するようにしてあるので、泡Ｂの大きさや数を変化させることができる。また、突片８の外周側壁２１内側に対する傾斜角度も変化させてあるので、泡Ｂの放出タイミングをずらすことができる。なお、回転手段としてリング状ギア方式に替えてベルト駆動方式を用いることができるし、回転円盤２を遊技機のガラス面に設置することもできる。
【００１１】
図４には、第２の実施形態の遊技装置を示す。この遊技装置においては回転円盤２の構造は上記したものと特に変わるところはないが、回転円盤２の内部には、比重の異なる透明液体、即ち比重の大きい第１液体Ｌ１と比重の小さい第２液体Ｌ２が二層を成して充填されている。したがって、凹部９は比重の小さい第２液体Ｌ２の層内においてこの第２液体Ｌ２を取り込む。そして、凹部９が水平より上向きとなった時には取り込んだ第２液体Ｌ２を粒子Ｐとして放出するので、粒子Ｐは比重の大きい第１液体Ｌ１中を、ちょうど油が水中を上がるようにゆらゆらと上昇する。第１液体Ｌ１と第２液体Ｌ２との界面は水平線が粒子Ｐの合体により波打ち状に揺らめくこととなる。
【００１２】
また、図５に示す第３の実施形態における遊技装置は、回転円盤２内に比重の異なる第１液体Ｌ１と第２液体Ｌ２と空気Ａとを封じ込んだものである。この遊技装置においては、泡Ｂと第２液体の粒子Ｐとを第１液体Ｌ１中をゆらゆらと上昇させることができる。
【００１３】
さらに、図６に示すように凹部９を、回転円盤２の外周側壁２１の内側に正転方向及び逆転方向の双方に向けて突設するとともに、モータ３を正逆回転可能なものとすることによって、回転円盤２が正転又は逆転の何れ方向の回転でも泡などを発生させることができる。また、回転円盤２の回転による透明液体Ｌの流動方向を逆向きに変えることができるので、透明液体Ｌ中に銀色などの浮遊物を浮遊させることによって、その流動方向を視認可能にして変化させることができる。回転円盤２の正逆回転を間歇的に行ったりモータの回転速度を増減することによってさらに変化を付けることができる。
【００１４】
また、凹部９は、図７に示すように外周側壁２１の内側にバケット１０を設けて形成することができる。この場合には、バケット１０が下向きとなって透明液体Ｌの液面に突入するときに、その凹部９に空気Ａを取り込む。回転が進んでバケット１０が水平乃至上向きとなった時に、取り込んでいた空気Ａを泡Ｂとして放出するとともに、泡と入れ替えに透明液体Ｌを取り込む。そして、バケット１０が上方に回転されて水平ないし下向きとなったときに、凹部９内の透明液体を放出するので、空気層の中に透明液体ＬのシャワーＳを降らせることができる。このように、本実施形態の遊技装置は、回転円盤の２下方から泡Bを発生させ、回転円盤２の上方からシャワーＳを降らせることができる。
【００１５】
なお、凹部９の形状は複雑に湾曲させたものなど適宜の形状とすることができる。また、透明液体Ｌとしてシリコーンオイルなどの不燃性又は難燃性のものを用いることができるし、防かび処理を施したものを用いることができるし、また、粘度の高いものを用いることによって泡Ｂをゆっくりゆらゆらと浮上させることができる。さらに、透明液体Ｌとして、表示画面１に表示される絵柄の内容にあわせて水色、黄色などの有色の透明液体を用いることによっても演出効果を大きく盛り上げることができる。
【００１６】
以上説明したように、本発明の遊技装置は、回転円盤が回転して凹部が液面又は界面に対して下向きに突入した時に空気や第２液体を取り込むことができ、凹部開口が横向き乃至矢か上向きとなった時にはこの取り込んだ空気や第２液体を泡や粒子として放出することができる。また、凹部を形成する突片の長さや傾き角度を適宜変えることによって、泡などの発生位置や大きさ、個数を変化させることができる。
したがって、本発明の遊技装置は泡発生装置を必要とせず、また、泡などの発生位置や大きさ、個数をダイナミックに変化させることができるという大きな利点を有する。
【図面の簡単な説明】
【００１７】
【図１】第１の実施形態の遊技装置を示す分解斜視図である。
【図２】図１の遊技装置の要部正面図である。
【図３】図１の遊技装置の正面図である。
【図４】第２の実施形態の遊技装置の要部正面図である。
【図５】第３の実施形態の遊技装置の要部正面図である。
【図６】凹部を回転体の正逆転両方向に向けて設けた遊技装置要部の正面図である。
【図７】外周側壁の内側にバケットを設けた回転体の正面図である。
【図８】パチンコ機の正面図である。
【符号の説明】
【００１８】
１  表示画面
２  回転円盤
３  モータ
４  前側カバー
５  リング状ギア
６  透明な盤面
７  小ギア
８  突片
９  凹部
１０  バケット
２１  外周側壁
Ａ  空気
Ｌ  透明液体
Ｌ１  第１液体
Ｌ２  第２液体
Ｐ  粒子
Ｓ  シャワー
【図１】
2006034610.tif 000003
【図２】
2006034610.tif 000004
【図３】
2006034610.tif 000005
【図４】
2006034610.tif 000006
【図５】
2006034610.tif 000007
【図６】
2006034610.tif 000008
【図７】
2006034610.tif 000009
【図８】
2006034610.tif 000010